【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
遠隔音声プロファイルを受信するように構成される受信機と、
前記受信機に電気的に結合されるメモリであって、前記メモリは人物に関連付けられた局所音声プロファイルを格納するように構成される、メモリと、
前記メモリおよび前記受信機に電気的に結合されるプロセッサとを備え、前記プロセッサが、
前記遠隔音声プロファイルと関連付けられる発話の内容または前記遠隔音声プロファイルと関連付けられる識別子に基づいて、前記遠隔音声プロファイルが前記人物と関連付けられると決定し、
前記遠隔音声プロファイルが前記人物と関連付けられるという前記決定に基づいて、プロファイル管理のために前記局所音声プロファイルを選択し、
前記局所音声プロファイルの第1のセグメントを前記遠隔音声プロファイルの第2のセグメントで置き換える
ように構成された、
デバイス。
【請求項２】
前記局所音声プロファイルが第1の複数の代替発話信号と関連付けられ、前記遠隔音声プロファイルが第2の複数の代替発話信号と関連付けられる、請求項1に記載のデバイス。
【請求項３】
前記局所音声プロファイルの前記第1のセグメントが、前記第1の複数の代替発話信号から第1の代替発話信号を除去し、前記第2の複数の代替発話信号の第2の代替発話信号を前記第1の複数の代替発話信号に追加することによって、前記遠隔音声プロファイルの前記第2のセグメントで置き換えられる、請求項2に記載のデバイス。
【請求項４】
前記受信機が、アンテナ、ネットワークインターフェース、または前記アンテナと前記ネットワークインターフェースの組合せの、1つまたは複数を含む、請求項1に記載のデバイス。
【請求項５】
前記受信機が、複数の人物と関連付けられる複数の遠隔音声プロファイルを受信するように構成される、請求項1に記載のデバイス。
【請求項６】
前記遠隔音声プロファイルの表現、前記局所音声プロファイルの表現、または両方を含むグラフィカルユーザインターフェースを提示するように構成されるディスプレイをさらに備える、請求項1に記載のデバイス。
【請求項７】
前記プロセッサがさらに、
テキスト発話変換器から発話信号を受信することと、
複数の使用モードのうちの使用モードを検出することであって、前記使用モードが、読書モード、会話モード、歌唱モード、または命令および制御モードの少なくとも1つを備える、検出することと、
複数の属性領域のうちの属性領域を選択することであって、前記属性領域が、言語領域、性別領域、または年齢領域の少なくとも1つを備える、選択することと、
前記発話信号、前記使用モード、および前記属性領域に基づいて、複数の代替発話信号のうちの代替発話信号を選択することであって、前記局所音声プロファイルが前記複数の代替発話信号と関連付けられる、選択することと、
前記代替発話信号に基づいて、処理された発話信号を生成することとを行うように構成される、請求項1に記載のデバイス。
【請求項８】
前記複数の代替発話信号が分類と関連付けられ、前記分類の各々がある優先度を有し、前記代替発話信号が、前記発話信号の一部分を優先度の順番で前記複数の代替発話信号と比較することによって選択される、請求項7に記載のデバイス。
【請求項９】
前記人物と関連付けられる訓練発話信号を受信するように構成されるマイクロフォンをさらに備え、前記複数の代替発話信号の1つまたは複数の発話信号が前記訓練発話信号に基づいて生成される、請求項7に記載のデバイス。
【請求項１０】
前記プロセッサがさらに、
訓練発話信号と関連付けられる前記複数の使用モードの第1の使用モードを検出し、
前記第1の使用モードを、前記訓練発話信号に基づいて生成される前記複数の代替発話信号の1つまたは複数の代替発話信号と関連付けるように構成される、請求項7に記載のデバイス。
【請求項１１】
前記プロセッサがさらに、
訓練発話信号が受信されるときの使用モードの設定に基づいて、前記複数の使用モードの第1の使用モードを検出し、
前記第1の使用モードを、前記訓練発話信号に基づいて生成される前記複数の代替発話信号の1つまたは複数の発話信号と関連付けるように構成される、請求項7に記載のデバイス。
【請求項１２】
前記プロセッサがさらに、
訓練発話信号が歌唱に対応すると決定したことに基づいて、歌唱モードを前記複数の代替発話信号の1つまたは複数の発話信号と関連付けることであって、前記1つまたは複数の発話信号が前記訓練発話信号に基づいて生成される、関連付けることと、
前記訓練発話信号が受信されたときに読書アプリケーションが有効モードにあったと決定したことに基づいて、読書モードを前記1つまたは複数の発話信号と関連付けることと、
前記訓練発話信号が音声呼の間に捉えられたと決定したことに基づいて、会話モードを前記1つまたは複数の発話信号と関連付けることとを行うように構成される、請求項7に記載のデバイス。
【請求項１３】
通信のための方法であって、
局所音声プロファイルを記憶するデバイスにおいて遠隔音声プロファイルを受信するステップであって、前記局所音声プロファイルが人物と関連付けられる、ステップと、
前記遠隔音声プロファイルと前記局所音声プロファイルとの比較に基づいて、または、前記遠隔音声プロファイルと関連付けられる識別子に基づいて、前記遠隔音声プロファイルが前記人物と関連付けられると決定するステップと、
前記デバイスにおいて、前記遠隔音声プロファイルが前記人物と関連付けられるという前記決定に基づいて、プロファイル管理のために前記局所音声プロファイルを選択するステップと、
前記局所音声プロファイルの第1のセグメントを前記遠隔音声プロファイルの第2のセグメントで置き換えるステップとを備える、方法。
【請求項１４】
前記デバイスにおいて、前記遠隔音声プロファイルと関連付けられる複数の代替発話信号に対応するデータを含む更新を受信するステップと、
前記複数の代替発話信号を前記局所音声プロファイルと関連付けるステップと、
前記デバイスにおいて、前記局所音声プロファイルと関連付けられる選択を受信するステップと、
前記デバイスにおいて、入力オーディオ信号を受信するステップと、
前記デバイスにおいて、前記入力オーディオ信号の一部分を前記複数の代替発話信号のうちの代替発話信号で置き換えることによって、処理された発話信号を生成するステップとをさらに備える、請求項13に記載の方法。
【請求項１５】
前記代替発話信号に関連付けられた信号対雑音比の第1の値が、前記入力オーディオ信号の前記一部分に関連付けられた信号対雑音比の第2の値よりも大きい、請求項14に記載の方法。
【請求項１６】
スピーカーを介して前記処理された発話信号を出力するステップをさらに備える、請求項14に記載の方法。
【請求項１７】
前記選択が、前記デバイスから前記局所音声プロファイルと関連付けられる第2のデバイスへの音声呼の開始に対応する、請求項14に記載の方法。
【請求項１８】
前記選択が、第2のデバイスからの音声呼の前記デバイスによる受け入れに対応し、前記第2のデバイスが前記局所音声プロファイルと関連付けられる、請求項14に記載の方法。
【請求項１９】
前記デバイスにおいて、前記入力オーディオ信号の前記一部分を前記複数の代替発話信号と比較するステップと、
前記デバイスにおいて、前記入力オーディオ信号の前記一部分が前記代替発話信号と一致すると決定するステップとをさらに備え、
前記決定に基づいて、前記入力オーディオ信号の前記一部分が前記代替発話信号で置き換えられる、請求項14に記載の方法。
【請求項２０】
前記更新が前記デバイスから送られる更新要求に応答して受信される、請求項14に記載の方法。
【請求項２１】
前記デバイスにおいて、更新要求がいつ送られるべきであるかを指定するためのオプションを含むグラフィカルユーザインターフェースを生成するステップと、
前記グラフィカルユーザインターフェースをディスプレイデバイスに提供するステップと、
前記オプションに対応するユーザ入力を受け取ったことに基づいて前記更新要求を送るステップとをさらに備え、いつ前記更新要求が送られるべきであるかを前記ユーザ入力が示し、前記更新要求に応答して前記更新が受信される、請求項14に記載の方法。
【請求項２２】
前記デバイスにおいて、第2のオーディオ信号を受信するステップと、
前記第2のオーディオ信号に基づいて、第2の複数の代替発話信号を生成するステップと、
第2の更新を第2のデバイスに提供するステップとをさらに備え、前記第2の更新が、前記第2の複数の代替発話信号に対応する第2のデータを含む、請求項13に記載の方法。
【請求項２３】
前記第2の更新を前記第2のデバイスにいつ送るかを選択するためのオプションを含むグラフィカルユーザインターフェースを生成するステップと、
前記グラフィカルユーザインターフェースをディスプレイデバイスに提供するステップとをさらに備え、
前記第2の更新が、前記オプションに対応するユーザ入力を受け取ったことに基づいて前記第2のデバイスに送られ、
前記ユーザ入力が、前記第2の更新が前記第2のデバイスにいつ送られるべきかを示す、請求項22に記載の方法。
【請求項２４】
前記第2の複数の代替発話信号が、前記第2のデバイスへ前記第2の更新を送ることを前記デバイスのユーザが認めていると決定したことに基づいて、前記第2のデバイスに送られる、請求項22に記載の方法。
【請求項２５】
複数の代替発話信号を記憶するように構成されるメモリと、
前記メモリに電気的に結合され、
テキスト発話変換器から発話信号を受信することと、
複数の使用モードのうちの使用モードを検出することと、
複数の属性領域のうちの属性領域を選択することと、
前記発話信号、前記属性領域、および前記使用モードに基づいて、前記複数の代替発話信号のうちの代替発話信号を選択することと、
前記代替発話信号に基づいて、処理された発話信号を生成することと、
前記処理された発話信号を少なくとも1つのスピーカーに提供することと
を行うように構成されるプロセッサとを備える、デバイス。
【請求項２６】
前記少なくとも1つのスピーカーが車両に含まれる、請求項25に記載のデバイス。
【請求項２７】
前記少なくとも1つのスピーカーがモバイルデバイスに含まれる、請求項25に記載のデバイス。
【請求項２８】
前記属性領域が、言語領域、性別領域、または年齢領域の少なくとも1つを含み、前記使用モードが、読書モード、会話モード、歌唱モード、または命令および制御モードを含む、請求項25に記載のデバイス。
【請求項２９】
遠隔音声プロファイルを受信するための手段と、
人物と関連付けられる局所音声プロファイルを記憶するための手段と、
前記遠隔音声プロファイルと関連付けられる発話の内容または前記遠隔音声プロファイルの識別子に基づいて、前記遠隔音声プロファイルが前記人物と関連付けられると決定したことに基づいて、プロファイル管理のために前記局所音声プロファイルを選択するための手段と、
前記局所音声プロファイルの第1のセグメントを前記遠隔音声プロファイルの第2のセグメントで置き換えるための手段とを備える、装置。
【請求項３０】
受信するための前記手段、記憶するための前記手段、および選択するための前記手段が、車両、電子書籍デバイス、音響キャプチャデバイス、モバイル通信デバイス、スマートフォン、携帯電話、ラップトップコンピュータ、コンピュータ、エンコーダ、デコーダ、タブレット、携帯情報端末、ディスプレイデバイス、テレビジョン、ゲームコンソール、音楽プレーヤ、ラジオ、デジタルビデオプレーヤ、デジタルビデオディスクプレーヤ、チューナー、カメラ、またはナビゲーションデバイスの少なくとも1つへと組み込まれる、請求項29に記載の装置。